(57)【要約】【課題】  通信装置が輻輳状態にあるとき、適切な対処をとることを目的とする。【解決手段】  通信システムは、複数の通信装置１ａ〜１ｄと通信制御装置３を有する。 通信装置は、データ通信を開始する前に行う接続設定中に、送受信する接続信号の数を計測するとともに、データ通信中に、送受信するデータ通信量を計測する。通信制御装置３は、前記通信装置の処理能力を考慮して定められた所定の接続信号数及び所定のデータ通信量が格納された格納部を有する。また、通信制御装置３は、計測された接続信号数と、前記所定の接続信号数とを比較し、比較結果に基づいて、前記通信装置における接続設定段階の輻輳を判断するとともに、計測されたデータ通信量と、前記所定のデータ通信量とを比較し、比較結果に基づいて、前記通信装置におけるデータ通信段階の輻輳を判断する。【選択図】      図１
2005245024.tif 000002
【特許請求の範囲】
【請求項１】
通信回線を介して相互に接続された複数の通信装置の各々の通信装置の輻輳を判断する接続設定段階及びデータ通信段階に分けた通信システムであって、 
前記通信装置が、他の通信装置との間で、データ通信を開始する前に行う接続設定中に、送受信する接続信号の数を、計測する第１計測手段と、
前記通信装置が、他の通信装置との間におけるデータ通信中に、送受信するデータ通信量を計測する第２計測手段と、
前記通信装置の処理能力を考慮して定められた所定の接続信号数及び所定のデータ通信量が格納された格納手段と、
前記第１計測手段により計測された接続信号数と、前記所定の接続信号数とを比較し、比較結果に基づいて、前記通信装置における接続設定段階の輻輳を判断する第１輻輳判断手段と、
前記第２計測手段により計測されたデータ通信量と、前記所定のデータ通信量とを比較し、比較結果に基づいて、前記通信装置におけるデータ通信段階の輻輳を判断する第２輻輳判断手段とを有することを特徴とする接続設定段階及びデータ通信段階に分けた通信システム。
【請求項２】
前記第１輻輳判断手段による判断結果に基づいて、前記通信装置に対する接続設定段階の輻輳を制御するための指令である第１輻輳制御指令を生成する第１輻輳制御指令生成手段と、
前記第２輻輳判断手段による判断結果に基づいて、前記通信装置に対するデータ通信段階の輻輳を制御するための指令である第２輻輳制御指令を生成する第２輻輳制御指令生成手段と、
前記第１輻輳制御指令に基づいて、前記通信装置における接続設定段階の輻輳を制御するとともに、前記第２輻輳制御指令に基づいて、前記通信装置におけるデータ通信段階の輻輳を制御する輻輳制御手段とを有することを特徴とする請求項１に記載の接続設定段階及びデータ通信段階に分けた通信システム。
【請求項３】
前記輻輳制御手段は、前記第１輻輳制御指令を受けた場合には、前記通信装置が送受信する接続信号数を減少させるとともに、
前記第２輻輳制御指令を受けた場合には、前記通信装置が送受信するデータ通信量を減少させることを特徴とする請求項２に記載の接続設定段階及びデータ通信段階に分けた通信システム。
【請求項４】
通信回線を介して相互に接続された通信装置の輻輳を判断する通信制御装置と通信を行う接続設定段階及びデータ通信段階に分けた通信装置であって、
他の通信装置との間で、データ通信を開始する前に行う接続設定中に、送受信する接続信号の数を、計測する第１計測手段と、
他の通信装置との間でデータ通信中に、送受信するデータ通信量を計測する第２計測手段と、
前記計測された接続信号数と前記計測されたデータ通信量を前記通信制御装置に送信する送信手段とを有し、
前記通信制御装置は、前記計測された接続信号数に基づいて、接続設定段階の輻輳を判断するとともに、前記計測されたデータ通信量に基づいて、データ通信段階の輻輳を判断することを特徴とする接続設定段階及びデータ通信段階に分けた通信装置。
【請求項５】
接続設定段階の輻輳を制御するための指令である第１輻輳制御指令と、データ通信段階の輻輳を制御するための指令である第２輻輳制御指令を受信する受信手段と、
前記第１輻輳制御指令に基づいて、接続設定段階の輻輳を制御するとともに、前記第２輻輳制御指令に基づいて、データ通信段階の輻輳を制御する輻輳制御手段とを有することを特徴とする請求項４に記載の接続設定段階及びデータ通信段階に分けた通信装置。
【請求項６】
前記輻輳制御手段は、前記第１輻輳制御指令を受けた場合には、送受信する接続信号数を減少させるとともに、前記第２輻輳制御指令を受けた場合には、送受信するデータ通信量を減少させることを特徴とする請求項５に記載の接続設定段階及びデータ通信段階に分けた通信装置。
【請求項７】
通信回線を介して相互に接続された複数の通信装置の各々の通信装置の輻輳を判断する接続設定段階及びデータ通信段階に分けた通信制御装置であって、 
前記通信装置が、他の通信装置との間でデータ通信を開始する前に行う接続設定中に送受信する接続信号の数を、計測した結果である計測接続信号数を受信するとともに、前記通信装置が、他の通信装置との間でデータ通信中に送受信するデータ通信量を、計測した結果である計測データ通信量を受信する受信手段と、
前記通信装置の処理能力を考慮して定められた所定の接続信号数及び所定のデータ通信量が格納された格納手段と、
前記計測接続信号数と、前記所定の接続信号数とを比較し、比較結果に基づいて、前記通信装置における接続設定段階の輻輳を判断する第１輻輳判断手段と、
前記計測データ通信量と、前記所定のデータ通信量とを比較し、比較結果に基づいて、前記通信装置におけるデータ通信段階の輻輳を判断する第２輻輳判断手段とを有することを特徴とする接続設定段階及びデータ通信段階に分けた通信制御装置。
【請求項８】
前記第１輻輳判断手段による判断結果に基づいて、前記通信装置に対する接続設定段階の輻輳を制御するための指令である第１輻輳制御指令を生成する第１輻輳制御指令生成手段と、
前記第２輻輳判断手段による判断結果に基づいて、前記通信装置に対するデータ通信段階の輻輳を制御するための指令である第２輻輳制御指令を生成する第２輻輳制御指令生成手段とを有し、
前記通信装置は、前記第１輻輳制御指令に基づいて、接続設定段階の輻輳を制御するとともに、前記第２輻輳制御指令に基づいて、データ通信段階の輻輳を制御することを特徴とする請求項７に記載の接続設定段階及びデータ通信段階に分けた通信制御装置。
【請求項９】
通信回線を介して相互に接続された複数の通信装置の各々の通信装置の輻輳を判断する接続設定段階及びデータ通信段階に分けた通信方法であって、   前記通信装置が、他の通信装置との間で、データ通信を開始する前に行う接続設定中に、送受信する接続信号の数を、計測する第１計測ステップと、
前記通信装置が、他の通信装置との間におけるデータ通信中に、送受信するデータ通信量を計測する第２計測ステップと、
前記通信装置の処理能力を考慮して定められた所定の接続信号数及び所定のデータ通信量を格納手段に格納するステップと、
前記第１計測ステップにより計測された接続信号数と、前記所定の接続信号数とを比較し、比較結果に基づいて、前記通信装置における接続設定段階の輻輳を判断する第１輻輳判断ステップと、
前記第２計測ステップにより計測されたデータ通信量と、前記所定のデータ通信量とを比較し、比較結果に基づいて、前記通信装置におけるデータ通信段階の輻輳を判断する第２輻輳判断ステップとを有することを特徴とする接続設定段階及びデータ通信段階に分けた通信方法。
【請求項１０】
前記第１輻輳判断ステップによる判断結果に基づいて、前記通信装置に対する接続設定段階の輻輳を制御するための指令である第１輻輳制御指令を生成する第１輻輳制御指令生成ステップと、
前記第２輻輳判断ステップによる判断結果に基づいて、前記通信装置に対するデータ通信段階の輻輳を制御するための指令である第２輻輳制御指令を生成する第２輻輳制御指令生成ステップと、
前記第１輻輳制御指令に基づいて、前記通信装置における接続設定段階の輻輳を制御するとともに、前記第２輻輳制御指令に基づいて、前記通信装置におけるデータ通信段階の輻輳を制御する輻輳制御ステップとを有することを特徴とする請求項９に記載の接続設定段階及びデータ通信段階に分けた通信方法。
【請求項１１】
前記輻輳制御ステップは、前記第１輻輳制御指令を受けた場合には、前記通信装置が送受信する接続信号数を減少させるとともに、
前記第２輻輳制御指令を受けた場合には、前記通信装置が送受信するデータ通信量を減少させることを特徴とする請求項１０に記載の接続設定段階及びデータ通信段階に分けた通信方法。
【発明の詳細な説明】
【技術分野】
【０００１】
本発明は、通信回線を介して相互に接続された複数の通信装置の各々の通信装置の輻輳を判断する接続設定段階及びデータ通信段階に分けた通信システム、通信装置、通信制御装置、通信方法に関する。
【背景技術】
【０００２】
複数の通信装置（例えば、交換装置）を有する音声通信システムにおいて、一つの呼が発生してから終了するまでの処理は、例えば、接続設定処理、音声通話処理、呼切断処理に分けることができる。接続設定処理は、呼設定処理（新規呼発生）及び通信経路確立処理で構成される。ここで新規呼が大量に発生した場合、通信装置にかかる負荷は主に接続設定処理（即ち、呼設定処理から通信経路確立処理における段階）での負荷であり、音声通話処理においては各通信装置にかかる負荷は少ない。
【０００３】
このため、通信装置にかかる負荷としては、主に、接続設定処理の負荷を考えればよい。この負荷については、例えば、接続設定処理における新規呼発生回数を計測することで判断が可能である。また、通信装置が輻輳した場合の制御方法は、接続設定処理における処理の抑止を行うことで対処できる。
【０００４】
図１０は、従来における通信システムの構成を示す図である。通信システムは、通信回線を介して相互に接続されている複数の通信装置６１ａ〜６１ｄと、各通信装置と回線を介して接続されている通信端末装置６２ａ〜６２ｄと、各通信装置に対して、制御等を行う通信制御装置６３を有する。
【０００５】
通信制御装置（オペレーションシステム部）は、通信装置６１ａ〜６１ｄからの通知（メッセージ）を受信し、または通信装置６１ａ〜６１ｄに指示（コマンド）を送信する機能を有する。また、通信システムは、通信制御装置６３に接続され、通信制御装置６３で受信したメッセージを作業者に出力し、作業者からのコマンドを通信制御装置に送るための入出力装置６４を有する。
【０００６】
図１１は、通信システムにおける通信方法を示すフローチャート図であり、図１２は、通信装置６１ａにおける輻輳発生時における対処方法を説明するための概念図である。
【０００７】
上述のように構成された通信システムでは、通信端末装置６２ａから通信端末装置６２ｃへ呼び出しを行う場合、通信装置６１ａ，６１ｃを介して、呼び出し開始信号を送信し、上記信号を受信した通信端末装置６２ｃは、呼び出し応答信号を通信装置６１ｃ，６１ａを介して、通信端末装置６２ａへ送る（呼設定処理Ｓ５００）。
【０００８】
そして、通信端末装置６２ａが通信装置６１ａを介して、通信経路確立信号を送信し、上記信号を受信した通信端末装置６２ｃは、応答信号を通信装置６１ｃ，６１ａを介して、通信端末装置６２ａへ送る。これにより、通信端末装置６２ａ、通信装置６１ａ、通信装置６１ｃ、通信端末装置６２ｃの間で通信経路が確立する（通信経路確立処理Ｓ５１０）。
【０００９】
通信経路が確立された後は、通信端末装置６２ａと通信端末装置６２ｃ間で音声通話が行われる。これが音声通話処理（Ｓ５２０）である。通話が終了すると、呼切断信号が、通信端末装置６２ａから通信端末装置６２ｃに送られると、通信端末装置６２ｃは、応答信号を通信装置６１ｃ、６１ａを介して、通信端末装置６２ａ宛に送る（呼切断処理Ｓ５３０）。これにより、通話が終了する。
【００１０】
次に通信装置６１ａにかかる負荷の計測方法および通信装置６１ａにおける輻輳発生時の制御方法について説明する。
【００１１】
呼設定処理段階で通信装置６１ａは新規呼数を計測し、通信制御装置６３に通知する（Ｓ５４０）。通信制御装置６３は通知された新規呼数に基づいて、通信装置６１ａの輻輳状態の判断を行い、判断結果を入出力装置６４に出力させる（Ｓ５５０）。作業者が、輻輳が発生していると判断したら、入出力装置６４より通信装置６１ａに対して輻輳制御コマンドを入力すると（Ｓ５６０）、通信制御装置６３に送られる。通信制御装置６３は、輻輳制御コマンドを通信装置６１ａに送る（Ｓ５７０）。通信装置６１ａは、輻輳制御コマンドに基づいて、輻輳の制御（呼設定処理における制御）を行う。
【発明の開示】
【発明が解決しようとする課題】
【００１２】
しかしながら、上述した従来技術では、以下のような問題があった。画像データや文字データ等のデータ通信においても、一つの接続要求（呼に相当するもの）が発生してから終了するまでの処理は、例えば、接続設定処理段階、データ通信段階、切断処理段階の各段階に分けることができる。
【００１３】
そして、接続要求が大量に発生し、大量のデータ（例えば、動画像データの通信のような場合）が通信装置間でやりとりさせる場合、接続設定処理段階における処理の負荷に加えて、データ通信段階における処理の負荷も考慮する必要がある。
【００１４】
しかし、上述した音声通信を対象とした通信システムを、画像データ等のデータ通信に適用した場合、ある通信装置の処理負荷が大きく輻輳状態となっている場合に、接続設定処理段階での処理負荷が大きいのか、データ通信段階での処理負荷が大きいのか判断できず、上記輻輳を制御するための適切な対処ができなかった。
【００１５】
従って、データ通信が行われている場合において、通信装置の接続設定処理段階での処理負荷と、データ通信段階での処理負荷とを分けて判断し、通信装置が輻輳状態にあるとき、適切な対処をとることができる通信システムの開発が望まれていた。
【００１６】
本発明は、以上の問題点を解決するためになされたものであり、データ通信が行われている場合において、通信装置の接続設定処理段階での処理負荷と、データ通信段階での処理負荷とを分けて判断し、通信装置が輻輳状態にあるとき、適切な対処をとることができる接続設定段階及びデータ通信段階に分けた通信システム、通信装置、通信制御装置、通信方法を提供することを目的とする。
【課題を解決するための手段】
【００１７】
以上の課題を解決するために、本発明は、通信回線を介して相互に接続された複数の通信装置の各々の通信装置の輻輳を判断する際に、前記通信装置が、他の通信装置との間で、データ通信を開始する前に行う接続設定中に、送受信する接続信号の数を、計測し、前記通信装置が、他の通信装置との間におけるデータ通信中に、送受信するデータ通信量を計測し、前記通信装置の処理能力を考慮して定められた所定の接続信号数及び所定のデータ通信量を格納手段に格納し、計測された接続信号数と、前記所定の接続信号数とを比較し、比較結果に基づいて、前記通信装置における接続設定段階の輻輳を判断し、計測されたデータ通信量と、前記所定のデータ通信量とを比較し、比較結果に基づいて、前記通信装置におけるデータ通信段階の輻輳を判断することを特徴とするものである。
【００１８】
本発明によれば、従来技術のように、接続設定処理段階の処理負荷しか判断できないようなことはなく、接続設定処理段階とデータ通信処理段階、各々の処理負荷を判断することが可能となる。この結果、作業者は、接続設定処理段階とデータ通信処理段階に分けて、適切な輻輳制御を行うことが可能となる。
【００１９】
また、本発明は、前記通信装置における接続設定段階の輻輳の判断結果に基づいて、前記通信装置に対する接続設定段階の輻輳を制御するための指令である第１輻輳制御指令を生成し、前記通信装置におけるデータ通信段階の輻輳の判断結果に基づいて、前記通信装置に対するデータ通信段階の輻輳を制御するための指令である第２輻輳制御指令を生成し、前記第１輻輳制御指令に基づいて、前記通信装置における接続設定段階の輻輳を制御するとともに、前記第２輻輳制御指令に基づいて、前記通信装置におけるデータ通信段階の輻輳を制御することもできる。
【００２０】
本発明によれば、従来技術のように、通信装置の処理負荷が大きくとも、接続設定処理における輻輳しか制御できないようなことはなく、接続設定処理における輻輳制御、データ通信処理における輻輳制御が可能となる。従って、従来技術に比べて、通信装置の輻輳制御を一層効果的に行うことが可能となる。
【００２１】
この輻輳制御としては、前記第１輻輳制御指令を受けた場合には、前記通信装置が送受信する接続信号数を減少させるとともに、前記第２輻輳制御指令を受けた場合には、前記通信装置が送受信するデータ通信量を減少させることが好ましい。
【発明の効果】
【００２２】
以上説明したように、データ通信が行われている場合において、通信装置の接続設定処理段階での処理負荷と、データ通信段階での処理負荷とを分けて判断することが可能となる。このため、通信装置に対して、接続設定処理における輻輳制御を行うような対処と、データ通信処理における輻輳制御を行うような対処とを独立に行える。この結果、通信装置において輻輳が生じたとき、従来技術に比べて、一層効果的な対処が可能となる。
【発明を実施するための最良の形態】
【００２３】
（通信システムの構成）
図１は、本実施の形態である接続設定段階及びデータ通信段階に分けた通信システムの構成（以下、単に、通信システムという）を示す図である。通信システムは、通信回線を介して相互に接続されている複数の通信装置１ａ，１ｂ，１ｃ，１ｄと、各通信装置と回線を介して接続されている通信端末装置２ａ，２ｂ，２ｃ，２ｄと、各通信装置に対して、制御を行う通信制御装置３と、作業者が入力した情報を通信制御装置３に送ったり、通信制御装置３から送られた情報を出力する入出力装置４とを有する。この通信システムにおいては、通信装置１ｃには、通信端末装置２ｃ以外に、例えば、データ通信用大型計算機能を有するサーバ装置３ｃが接続されている。
【００２４】
通信端末装置は、例えば、ＰＣ端末装置や携帯端末や携帯電話等が該当する。通信端末装置は、接続設定開始信号を送受信したり、接続設定終了信号を送受信したりする。
【００２５】
また、通信端末装置は、データ通信開始信号を送受信したり、各種のデータを送受信したり、データ通信終了信号を送受信したりする。この際、データ通信開始信号、データ通信終了信号、データ信号には、各々、信号の送信元位置情報、宛先位置情報が含まれている。
【００２６】
（通信装置）
図２は、通信装置１ａ〜１ｄの構成を示す図である。通信装置１ａ〜１ｄは、具体的には、ゲートウェイ等の交換装置が該当する。通信装置１ａ〜１ｄは、各々が通信制御装置３に接続されて各種の信号の送受信が可能となっているとともに、通信装置間も通信回線で相互に接続され、通信端末装置から各種の信号を中継しつつ各種の信号の送受信を行えるようになっている。
【００２７】
通信装置１ａ〜１ｄは、通信部１１、接続信号数計測部１２、データ通信量計測部１３、輻輳制御部１４を有する。通信部１１は、他の通信装置や接続されている通信端末装置との間で、各種の信号やデータの送受信を行う。
【００２８】
また、通信装置１ａ〜１ｄの通信部１１は、他の通信装置や接続されている通信端末装置から送信されてくる接続設定開始信号、接続設定終了信号、データ信号を受信する。そして、通信部１１は、受信した信号のうち、接続設定開始信号、接続設定終了信号は、接続信号数計測部１２へ送り、データ信号は、データ通信量計測部１３に送る。また、通信装置１ａ〜１ｄの通信部１１は、他の通信装置や接続されている通信端末装置へ送信する前に、送信予定の接続設定開始信号、接続設定終了信号を接続信号数計測部１２に送り、送信予定のデータ信号をデータ通信量計測部１３に送る。そして、送信予定の信号について、接続信号数計測部１２やデータ通信量計測部１３による計測動作が終了した場合には、通信部１１は、各計測部１２，１３から各信号を読み出し、宛先装置へ各信号を送信する。
【００２９】
通信部１１がデータ信号をデータ通信量計測部１３に送る動作は、以下のようにして行う。通信部１１は、データ通信開始信号に含まれる送信元位置情報、宛先位置情報を取得する。位置情報とは、例えば、電話番号やアドレス情報である。そして、通信部１１は、上記送信元位置情報の位置情報、上記宛先位置情報の位置情報を含むデータ信号を受信した場合や、上記送信元位置情報の位置情報、上記宛先位置情報の位置情報を含む上記データ信号が送信予定の場合、そのデータ信号をデータ通信量計測部１３に送る。そして、通信部１１は、上述した位置情報を含むデータ通信終了信号を受信するまで、データ信号をデータ通信量計測部１３に送り続ける。
【００３０】
接続信号数計測部１２は、接続されている通信端末装置や、他の通信装置との間で、データ通信を開始する前に送受信する接続設定開始信号や接続設定終了信号の数を計測する。具体的には、接続信号数計測部１２は、所定の単位時間ごとに、通信部１１から送られてきた接続設定開始信号の数及び接続設定終了信号の数（以下、この接続設定開始信号の数と接続設定終了信号の数を合計した数を接続信号数という）を計測する。また、接続設定開始信号、接続設定終了信号をまとめて接続信号という。そして、接続信号数計測部１２は、計測した接続信号数に通信装置の識別情報を与えて、通信部１１に送る。
【００３１】
データ通信量計測部１３は、接続されている通信端末装置や、他の通信装置との間でデータ通信中に、送受信するデータ通信量を計測する。具体的には、データ通信量計測部１３は、所定の単位時間ごとに、通信部１１から送られてきたデータ信号に基づいて、データ通信量を計測する。データ通信量計測部１３は、データ通信量としては、例えば、パケット数、ビット数を単位として計測することができる。そして、データ通信量計測部１３は、計測したデータ通信量に通信装置の識別情報を与えて、通信部１１に送る。
【００３２】
輻輳制御部１４は、通信制御装置３から送信された第１輻輳制御指令に基づいて、通信装置１ａ〜１ｄの接続設定段階における輻輳を制御するとともに、通信制御装置３から送信された第２輻輳制御指令に基づいて、通信装置１ａ〜１ｄのデータ通信段階における輻輳を制御するように通信部１１を制御する。
【００３３】
具体的には、輻輳制御部１４は、第１輻輳制御指令に基づいて、通信部１１に対して、接続設定開始信号の送受信回数を減少させるように制御する。例えば、輻輳制御部１４は、通信部１１に対して、送信されてくる接続設定開始信号については、２つの信号のうち、１つの信号を受信するように制御する。また、例えば、送信されてくる接続設定開始信号について、２つの信号を受信し、そのうち、１つの信号だけを送信することもできる。接続設定終了信号についても同様に制御することが可能である。
【００３４】
また、輻輳制御部１４は、第２輻輳制御指令に基づいて、通信部１１に対して、送受信するデータ通信量を減少させるように制御する。具体的には、輻輳制御部１４は、通信部１１に対して、例えば、送信されてくるデータ通信開始信号については、２つの信号のうち、１つの信号を受信するように制御する。これにより、通信装置１ａ〜１ｄに送受信されるデータ信号の量を減少させることができる。
【００３５】
（通信制御装置３）
図３は、通信制御装置３の構成を示す図である。通信制御装置３は、通信装置側受信部３１、第１格納部３２、第１輻輳判断部３３、第２輻輳判断部３４、入出力装置側送信部３５を有する。
【００３６】
通信装置側受信部３１は、各通信装置１ａ〜１ｄから送信されてくる接続信号数、データ通信量を受信する。第１格納部３２には、通信装置１ａ〜１ｄの処理能力を考慮して定められた所定の接続信号数及び所定のデータ通信量が格納されている。ここでは、一例として、接続信号数を特定する情報と、所定の接続信号数Ｘとが対応づけられているとともに、データ通信量を特定する情報と、所定のデータ通信量Ｙと対応づけられた対応テーブルが第１格納部３２に格納されている。対応テーブルの一例を図４に示す。なお、本実施の形態では、各通信装置１ａ〜１ｄの処理能力は、各々、同程度の場合を考える。
【００３７】
所定の接続信号数や所定のデータ通信量は、例えば、以下のようにして定めることができる。通信装置が保証時間、稼働できるための最大処理能力（単位時間当たり処理できる最大の仕事量）を予め計測しておく。なお、単位時間は、接続信号数計測部１２による計測動作、データ通信量計測部１３による計測動作における単位時間と同じ時間である。
【００３８】
そして、その最大処理能力に基づいて、接続信号の送受信処理のための接続設定処理能力、データ信号の送受信処理のためのデータ通信処理能力を定める。この場合、通信装置１ａ〜１ｄの他の処理を考慮して定める。また、接続設定処理能力に対するデータ通信処理能力の割合は、例えば、通信システムの設計上決められる。
【００３９】
そして、定められた接続設定処理能力に基づいて、所定の接続信号数を定めるとともに、定められたデータ通信処理能力に基づいて、所定のデータ通信量を定める。
【００４０】
第１輻輳判断部３３は、接続信号数計測部１２により計測された接続信号数と、対応テーブル中の所定の接続信号数を比較し、比較結果に基づいて、通信装置１ａ〜１ｄの接続設定処理における輻輳を判断する。具体的には、例えば、第１輻輳判断部３３は、計測された接続信号数の方が大きい場合には、通信装置の接続設定処理における処理負荷が大きいとして、接続設定処理における輻輳が生じていると判断し、計測された接続信号数の方が小さい場合には、通信装置の接続設定処理における処理負荷が大きくないとして、接続設定処理における輻輳が生じていないと判断する。
【００４１】
第２輻輳判断部３４は、データ通信量計測部１３により計測されたデータ通信量と、対応テーブル中の所定のデータ通信量を比較し、比較結果に基づいて、通信装置１ａ〜１ｄのデータ通信処理における輻輳を判断する。具体的には、例えば、第２輻輳判断部３４は、計測されたデータ通信量の方が大きい場合には、通信装置のデータ通信処理における処理負荷が大きいとして、データ通信処理における輻輳が生じていると判断し、計測されたデータ通信量の方が小さい場合には、通信装置のデータ通信処理における処理負荷が大きくないとして、データ通信処理における輻輳が生じていないと判断する。
【００４２】
そして、第１輻輳判断部３３は、判断結果を通信装置１ａ〜１ｄの識別情報と対応づけて入出力装置４へ送る。同じく第２輻輳判断部３４は、判断結果を通信装置の識別情報と対応づけて入出力装置４へ送る。  
また、通信制御装置３は、入出力装置側受信部３６、第２格納部３７、輻輳制御指令生成部３８、通信装置側送信部３９を有する。
【００４３】
入出力装置側受信部３６は、作業者により入力された接続設定処理における輻輳制御の旨やデータ通信処理における輻輳制御の旨を受信する。
【００４４】
第２格納部３７には、接続設定処理における輻輳制御方法を示す情報、データ通信処理における輻輳制御方法を示す情報が格納されている。具体的には、一例として、接続設定処理における輻輳制御方法として、接続設定開始信号については、２つの信号のうち、１つの信号を受信するように制御する輻輳制御方法、送信されてくる接続設定開始信号について、２つの信号を受信し、そのうちの１つの信号だけを送信するように制御する輻輳制御方法がある。
【００４５】
また、データ通信処理における輻輳制御方法として、例えば、送信されてくるデータ通信開始信号については、２つの信号のうち、１つの信号を受信するように制御する輻輳制御方法がある。
【００４６】
輻輳制御指令生成部３８は、入力された接続設定処理における輻輳制御の旨と、第２格納部３７に格納された接続設定処理における輻輳制御方法を示す情報に基づいて、上記輻輳制御方法を実行するような第１輻輳制御指令を生成する。また、輻輳制御指令生成部３８は、入力されたデータ通信処理における輻輳制御の旨と、第２格納部３７に格納されたデータ通信処理における輻輳制御方法を示す情報に基づいて、上記輻輳制御方法を実行するような第２輻輳制御指令を生成する。そして、輻輳制御指令生成部３８は、第１輻輳制御指令、第２輻輳制御指令に対して、通信装置の識別情報を与えて、通信装置側送信部３９へ送る。
【００４７】
通信装置側送信部３９は、通信装置の識別情報に基づいて、第１輻輳制御指令、第２輻輳制御指令を該当する通信装置へ送信する。
【００４８】
（入出力装置）
入出力装置４は、第１輻輳判断部３３や第２輻輳判断部３４から送られた判断結果を出力する機能を有する。また、入出力装置４には、作業者がキー操作等により、接続設定処理における輻輳制御の旨や、データ通信処理における輻輳制御の旨を入力することができる。
【００４９】
（通信方法）
上述のようにして構成された通信システムによる通信方法について以下に説明する。
【００５０】
（１）通信装置間での接続信号やデータ信号の送受信について
通信システムでは、各通信装置間で接続信号やデータ信号の送受信が行われる。図５は、その送受信方法の概念を示すシーケンス図である。通信装置１ａと通信装置１ｃとの間の送受信を例にして説明する。
【００５１】
先ず、通信端末装置２ａが接続設定開始信号を通信装置１ａへ送る（接続設定処理の開始）。この際、接続設定開始信号には、宛先サーバ装置３ｃに関する情報が含まれている。なお、各通信装置１ａ〜１ｄは、通信システムの他の通信装置や通信端末装置２ａ〜２ｄ、サーバ装置３ｃの位置情報を保持している。
【００５２】
通信装置１ａは、宛先装置３ｃと接続されている通信装置１ｃを検出する。そして、通信装置１ａは、接続設定開始信号を上記通信装置１ｃに送信する（Ｓ１００）。上記通信装置１ｃは、接続設定開始信号を上記宛先サーバ装置３ｃに送る。
【００５３】
上記サーバ装置３ｃは、接続設定開始信号を受け取り、データ通信可能な状態である場合には、接続設定終了信号を通信装置１ｃを介して（Ｓ１０５）、通信装置１ａへ送る。通信装置１ａは、接続設定終了信号を通信端末装置２ａへ送ると、接続設定処理は終了する。
【００５４】
通信端末装置２ａは、データ通信開始信号を通信装置１ａ、通信装置１ｃを介して、サーバ装置３ｃへ送る（Ｓ１１０、データ通信処理の開始）。そして、通信端末装置２ａとサーバ装置３ｃとの間で、データ通信が通信装置１ａ，１ｃを介して、行われる（Ｓ１１５）。
【００５５】
そして、サーバ装置３ｃからデータ通信終了信号が、通信装置１ｃ，１ａを介して、通信端末装置２ａへ送られる（Ｓ１２０）と、データ通信処理は終了する。以上のような処理が、通信システムにおいて、各装置間で行われている。
【００５６】
（２）接続設定処理における輻輳の判断、データ通信処理における輻輳の判断
図６は、接続設定処理における輻輳の判断、データ通信処理における輻輳の判断を説明するためのフローチャート図である。通信装置１ａにおける輻輳を判断する場合について説明する。
【００５７】
なお、上述した対応テーブルは、例えば、通信システムの作業者が必要な情報（所定の接続信号数、所定のデータ通信量）を通信制御装置３に入力することで、図示しない対応テーブル生成部により、対応テーブルが生成され、第１格納部３２に格納される。
【００５８】
通信装置の通信部１１は、他の通信装置や通信端末装置との間で送受信する接続信号を接続信号数計測部１２へ送るとともに、データ信号をデータ通信量計測部１３に送る（Ｓ２００）。
【００５９】
接続信号数計測部１２は、通信部１１から送られた接続設定開始信号や接続設定終了信号の数を単位時間ごとに計測する（Ｓ２０５）。そして、接続信号数計測部１２は、計測した接続信号数に通信装置１ａの識別情報を与えて、通信部１１に送る。データ通信量計測部１３は、通信部１１から送られたデータ通信量を単位時間ごとに計測する（Ｓ２１０）。なお、Ｓ２０５とＳ２１０の順序は、いすれが先でもよいし、並行して行っても良い。そして、データ通信量計測部１３は、計測したデータ通信量に通信装置１ａの識別情報を与えて、通信部１１に送る。
【００６０】
通信部１１は、計測された接続信号数、データ通信量を通信回線を介して通信制御装置３宛に送信する。計測された接続信号数、データ通信量が通信装置側受信部３１に受信される。すると、計測された接続信号数は、第１輻輳判断部３３へ送られるとともに、計測されたデータ通信量は、第２輻輳判断部３４へ送られる（Ｓ２２０）。
【００６１】
第１輻輳判断部３３は、第１格納部３２から対応テーブルを読み出し、所定の接続信号数を取得する。そして、第１輻輳判断部３３は、計測された接続信号数と、所定の接続信号数を比較し、計測された接続信号数の方が大きいか否かを判断する（Ｓ２３０）。大きい場合には、ステップＳ２３５で、第１輻輳判断部３３は、通信装置１ａの接続設定処理における処理負荷が大きいとして、接続設定処理における輻輳が生じていると判断する。小さい場合には、ステップＳ２４０で、第１輻輳判断部３３は、通信装置１ａの接続設定処理における処理負荷が大きくないとして、接続設定処理における輻輳が生じていないと判断する。
【００６２】
そして、第１輻輳判断部３３は、判断結果（通信装置１ａにおける接続設定処理の輻輳が生じているか否か）を入出力装置側送信部３５へ送る。
【００６３】
第２輻輳判断部３４は、第１格納部３２から対応テーブルを読み出し、所定のデータ通信量を取得する。そして、第２輻輳判断部３４は、計測されたデータ通信量と、所定のデータ通信量を比較し、計測されたデータ通信量の方が大きいか否かを判断する（Ｓ２５０）。大きい場合には、ステップＳ２５５で、第２輻輳判断部３４は、通信装置１ａのデータ通信処理における処理負荷が大きいとして、データ通信処理における輻輳が生じていると判断する。小さい場合には、ステップＳ２６０で、第２輻輳判断部３４は、通信装置１ａのデータ通信処理における処理負荷が大きくないとして、データ通信処理における輻輳が生じていないと判断する。
【００６４】
そして、第２輻輳判断部３４は、判断結果（通信装置におけるデータ通信処理の輻輳が生じているか否か）を入出力装置側送信部３５へ送る。なお、ステップＳ２３０からステップＳ２４０までの処理と、ステップＳ２５０からステップＳ２６０までの処理は、いずれを先に行ってもよいし、また、並行して行っても良い。
【００６５】
入出力装置４では、第１輻輳判断部３３による判断結果、第２輻輳判断部３４による判断結果が出力される（Ｓ２７０）。
【００６６】
この出力された判断結果を通信システムの作業者が取得することにより、通信装置１ａの接続設定処理における処理負荷が大きいのか、通信装置１ａのデータ通信処理における処理負荷が大きいのかを分けて判断することができる。これにより、作業者は、通信装置１ａに対して、接続設定処理における輻輳制御を行うような対処と、データ通信処理における輻輳制御を行うような対処とを独立に行える。
【００６７】
（３）通信装置に対する輻輳制御方法
図７は、通信装置に対する輻輳制御方法を説明するためのフローチャート図である。一例として、入出力装置４には、通信装置１ａについて、接続設定処理における輻輳が生じている（接続設定処理負荷が大きい）、データ通信処理における輻輳が生じている（データ通信処理負荷が大きい）旨が出力された場合について考える。
【００６８】
作業者が、通信装置１ａに対して、接続設定処理における輻輳制御の旨や、データ通信処理における輻輳制御の旨をキー操作等により、入出力装置４に入力する（Ｓ３００）。入出力装置４は、接続設定処理における輻輳制御の旨、データ通信処理における輻輳制御の旨に、通信装置１ａの識別情報を与える。そして、これらの情報は、通信制御装置３へ送られる。
【００６９】
通信制御装置３の入出力装置側受信部３６は、上記接続設定処理における輻輳制御の旨，データ通信処理における輻輳制御の旨を受信すると（Ｓ３０５）、接続設定処理における輻輳制御の旨、データ通信処理における輻輳制御の旨を、輻輳制御指令生成部３８へ送る。
【００７０】
ステップＳ３２０では、輻輳制御指令生成部３８は、第２格納部３７から接続設定処理における輻輳制御方法を示す情報を読み出し、上記輻輳制御方法を実行するように命令する第１輻輳制御指令を生成する。この際、輻輳制御指令生成部３８は、上記通信装置１ａの識別情報を上記第１輻輳制御指令に与える。
【００７１】
同様に、輻輳制御指令生成部３８は、第２格納部３７からデータ通信処理における輻輳制御方法を示す情報を読み出し、上記輻輳制御方法を実行するように命令する第２輻輳制御指令を生成する（Ｓ３２５）。この際、輻輳制御指令生成部３８は、上記通信装置１ａの識別情報を上記第２輻輳制御指令に与える。なお、ステップＳ３２０、ステップＳ３２５についてはいずれを先に行ってもよいし、並行して行っても良い。
【００７２】
そして、輻輳制御指令生成部３８は、生成した第１輻輳制御指令、第２輻輳制御指令を通信装置側送信部３９へ送る。通信装置側送信部３９は、通信装置１ａの識別情報に基づいて、上記第１輻輳制御指令及び第２輻輳制御指令を、上記通信装置１ａに対して送信する。
【００７３】
通信装置１ａの通信部１１は、上記第１輻輳制御指令及び第２輻輳制御指令を受信すると、輻輳制御部１４へ送る（Ｓ３３０）。
【００７４】
輻輳制御部１４は、第１輻輳制御指令に基づいて、通信装置１ａの接続設定処理における輻輳を制御するとともに、第２輻輳制御指令に基づいて、データ通信処理における輻輳を制御する（Ｓ３４０）。具体的には、輻輳制御部１４は、第１輻輳制御指令に基づいて、通信部１１に対して、接続設定開始信号の送受信回数を減少させるように制御する。同様に、輻輳制御部１４は、第２輻輳制御指令に基づいて、通信部１１に対して、送受信するデータ通信量を減少させるように制御する
上述の説明では、接続設定処理における輻輳の判断及び制御、データ通信処理における輻輳の判断及び制御について説明したが、いすれか一方の処理の輻輳の判断及び制御を行うことも可能である。
【００７５】
なお、第１輻輳判断部３３、第２輻輳判断部３４は、接続設定処理における輻輳やデータ通信処理における輻輳が生じなくなったと判断した場合には、その旨を通信装置側送信部３９を介して、上記通信装置に送信するようにしてもよい。
【００７６】
この場合には、接続設定処理における輻輳が生じなくなった旨が輻輳制御部１４に送られると、輻輳制御部１４は、接続設定処理における輻輳制御を解除する。同様に、データ通信処理における輻輳が生じなくなった旨が輻輳制御部１４に送られると、輻輳制御部１４は、データ通信処理における輻輳制御を解除する。
【００７７】
また、第１輻輳判断部３３が、接続設定処理における輻輳が発生していると判断した場合や、第２輻輳判断部３４が、データ通信処理における輻輳が発生していると判断した場合には、その旨を自動的に輻輳制御指令生成部３８に送るようにしてもよい。そして、輻輳制御指令生成部３８は、上記輻輳が発生している旨に基づいて、第１輻輳制御指令や第２輻輳制御指令を生成するようにしてもよい。
【００７８】
（作用効果）
本実施の形態によれば、接続信号数計測部１２及びデータ通信量計測部１３が設けられている。このため、通信装置が他の通信装置や通信端末装置との間で送受信する接続信号の数を計測することが可能となる。また、通信装置が他の通信装置や通信端末装置との間で送受信するデータ信号の量を計測することが可能となる。
【００７９】
そして、第１輻輳判断部３３が、計測接続信号数と、通信装置の処理能力を考慮して定められた所定の接続信号数を比較することで、通信装置の接続設定処理段階における処理負荷が大きいか否かを判断でき、大きい場合には、接続設定処理において輻輳が生じていると判断できる。同じく、第２輻輳判断部３４が、計測データ通信量と、通信装置の処理能力を考慮して定められた所定のデータ通信量を比較することで、通信装置のデータ通信処理段階における処理負荷が大きいか否かを判断でき、大きい場合には、データ通信処理において輻輳が生じていると判断できる。
【００８０】
従って、従来技術のように、接続設定処理段階の処理負荷しか判断できないようなことはなく、接続設定処理段階とデータ通信処理段階、各々の処理負荷を判断することが可能となる。この結果、作業者は、接続設定処理段階とデータ通信処理段階に分けて、適切な輻輳制御を行うことが可能となる。
【００８１】
また、本実施の形態では、輻輳制御指令生成部３８が、第１輻輳制御指令及び第２輻輳制御指令を生成する。そして、輻輳制御部１４は、第１輻輳制御指令に基づいて、接続設定処理における輻輳を制御するとともに、第２輻輳制御指令に基づいて、データ通信処理における輻輳を制御することができる。
【００８２】
この結果、従来技術のように、通信装置の処理負荷が大きくとも、接続設定処理における輻輳しか制御できないようなことはなく、接続設定処理における輻輳制御、データ通信処理における輻輳制御が可能となる。従って、従来技術に比べて、通信装置の輻輳制御を一層効果的に行うことが可能となる。
【００８３】
（変形例１）
本実施の形態では、全ての通信装置の処理能力は、同等として考えたが、異なるような場合には、上述した第１格納部３２に格納された対応テーブル中の所定の接続信号数Ｘや所定のデータ通信量Ｙは、各通信装置１ａ〜１ｄごとに異なることになる。このような場合、以下のようにすることも可能である。即ち、第１格納部３２に格納される図４に示すような対応テーブルは、各通信装置１ａ〜１ｄの識別情報と対応づけられており、各通信装置１ａ〜１ｄごとに設けられている。
【００８４】
そして、上述したフローチャート図において、ステップＳ２３０において、第１輻輳判断部３３は、計測された接続信号数に与えられた通信装置の識別情報に対応する対応テーブルを読み出し、所定の接続信号数を取得する。同様に、ステップＳ２５０において、第２輻輳判断部３４は、計測されたデータ通信量に与えられた通信装置の識別情報に対応する対応テーブルを読み出し、所定のデータ通信量を取得する。これ以外は、図６に示すフローチャート図の各処理と同じである。
【００８５】
（変形例２）
実施の形態１では、通信装置が接続信号やデータ信号を送信する処理能力である送信処理能力と、通信装置が接続信号やデータ信号を受信する処理能力である受信処理能力とを同等と考えていた。
【００８６】
しかし、送信処理能力と受信処理能力が異なるような場合も存在する。このような場合には、以下のようにすることもできる。
【００８７】
変形例２の接続信号数計測部１２は、送信する接続信号数と、受信する接続信号数を分けて計測する。データ通信量計測部１３は、送信するデータ通信量と、受信するデータ通信量を分けて計測する。
【００８８】
そして、第１格納部３２に格納されている対応テーブルには、送信用の所定の接続信号数、受信用の所定の接続信号数、送信用の所定のデータ通信量、受信用の所定のデータ通信量が含まれている。そして、第１輻輳判断部３３は、接続設定処理における輻輳の判断を送信用と受信用に分けて判断を行う。同じく、第２輻輳判断部３４は、データ通信処理における輻輳の判断を送信用と受信用に分けて判断を行う。
【００８９】
そして、第２格納部３７には、送信用の接続設定処理の輻輳制御方法、受信用の接続設定処理の輻輳制御方法、送信用のデータ通信処理の輻輳制御方法、受信用のデータ通信処理の輻輳制御方法、が格納されている。
【００９０】
そして、輻輳制御指令生成部３８は、送信用の接続設定処理の輻輳制御方法に基づいて、送信用第１輻輳制御指令を生成し、受信用の接続設定処理の輻輳制御方法に基づいて、受信用第１輻輳制御指令を生成し、送信用のデータ通信処理の輻輳制御方法に基づいて、送信用第２輻輳制御指令を生成し、受信用のデータ通信処理の輻輳制御方法に基づいて、受信用第２輻輳制御指令を生成する。
【００９１】
そして、輻輳制御部１４は、送信用第１輻輳制御指令に基づいて、通信部１１に対して、送信予定の接続信号数を減少させ、受信用第１輻輳制御指令に基づいて、通信部１１に対して、受信する接続信号数を減少させ、送信用第２輻輳制御指令に基づいて、通信部１１に対して、送信予定のデータ開始信号数を減少させ、受信用第２輻輳制御指令に基づいて、通信部１１に対して、受信するデータ開始信号数を減少させる。
【００９２】
実施の形態２．
実施の形態２である通信システムにおいては、通信装置１ａ〜１ｄの構成が以下のように異なる。図８は、実施の形態２の通信装置１ａ〜１ｄの構成を示す図である。本実施の形態において、実施の形態１と同一構成、機能については、同一符号を付してその説明を省略する。
【００９３】
（構成）
通信装置１ａ〜１ｄは、各部を制御するＣＰＵ５０と、このＣＰＵ５０の単位時間当たりの処理量を取得し、この処理量に基づいて、通信装置全体の処理負荷が大きい場合には、輻輳が生じていると判断する通信装置輻輳判断部５１を有する。
【００９４】
通信装置輻輳判断部５１は、所定の処理量を示す情報を保持している。この所定の処理量は、例えば、ＣＰＵ５０の最大処理能力（単位時間当たり処理できる最大の仕事量）に基づいて定められる。
【００９５】
（通信方法）
図９は、実施の形態２の通信システムを用いた接続設定処理における輻輳判断方法、データ通信処理における輻輳の判断方法を示すフローチャート図である。
【００９６】
ステップＳ４００では、通信装置輻輳判断部５１は、通信装置に輻輳が生じているか否かを判断する。具体的には、通信装置輻輳判断部５１は、ＣＰＵ５０の単位時間当たりの処理量を取得する。そして、通信装置輻輳判断部５１は、保持している所定の処理量と、ＣＰＵ５０の単位時間当たりの処理量を比較し、ＣＰＵ５０の単位時間当たりの処理量の方が大きい場合には、ステップＳ４１０で、接続信号数計測部１２に対して、通信部１１から送られる接続信号数を取得し、計測動作を開始するように命令するとともに、データ通信量計測部１３に対して、通信部１１から送られるデータ信号を取得し、計測動作を開始するように命令する。その後、ステップＳ２０５以降の処理が行われる。
【００９７】
一方、ＣＰＵ５０の単位時間当たりの処理量の方が小さい場合には、ステップＳ４００へ移行する。
【００９８】
本実施の形態においては、実施の形態１で示した効果に加えて、通信装置輻輳判断部５１が通信装置に輻輳が生じていると判断した場合だけ、接続信号数計測部１２、データ通信量計測部１３により計測動作、第１輻輳判断部３３、第２輻輳判断部３４による判断動作が行われる。このため、明らかに輻輳が生じていない場合における上述の計測動作や判断動作を行わずに済み、輻輳が生じる可能性が高い場合にのみ、上述の計測動作や判断動作を行うので、通信システムの各装置のリソースを有効に活用できる。
【図面の簡単な説明】
【００９９】
【図１】実施の形態１である通信システムの構成を示す図である。
【図２】実施の形態１である通信装置の構成を示す図である。
【図３】実施の形態１である通信制御装置の構成を示す図である。
【図４】実施の形態１でである第１格納部に格納された対応テーブルの一例を示す図である。
【図５】実施の形態１である各通信装置間の信号の送受信方法を示すシーケンス図である。
【図６】実施の形態１である通信方法のうち、接続設定処理の輻輳、データ通信処理の輻輳を判断する方法を説明するためのフローチャート図である。
【図７】実施の形態１である通信方法のうち、接続設定処理の輻輳、データ通信処理の輻輳を制御する方法を説明するためのフローチャート図である。
【図８】実施の形態２である通信装置の構成を示す図である。
【図９】実施の形態２である通信方法のうち、接続設定処理の輻輳、データ通信処理の輻輳を判断する方法を説明するためのフローチャート図である。
【図１０】従来の通信システムの構成を示す図である。
【図１１】従来の各通信装置間の信号の送受信方法を示すフローチャート図である。
【図１２】従来の通信方法のうち、接続設定処理の輻輳、データ通信処理の輻輳を判断する方法、制御する方法を説明するための概念図である。
【符号の説明】
【０１００】
１ａ〜１ｄ，６１ａ〜６１ｄ  通信装置
２ａ〜２ｄ，６２ａ〜６２ｄ  通信端末装置
３ｃ  サーバ装置
３，６３  通信制御装置
４，６４  入出力装置
１１  通信部１２  接続信号数計測部
１３  データ通信量計測部
１４  輻輳制御部
３１  通信装置側受信部
３２  第１格納部
３３  第１輻輳判断部
３４  第２輻輳判断部
３５  入出力装置側送信部
３６  入出力装置側受信部
３７  第２格納部
３８  輻輳制御指令生成部
３９  通信装置側送信部
５０  ＣＰＵ
５１  通信装置輻輳判断部
【図１】
2005245024.tif 000003
【図２】
2005245024.tif 000004
【図３】
2005245024.tif 000005
【図４】
2005245024.tif 000006
【図５】
2005245024.tif 000007
【図６】
2005245024.tif 000008
【図７】
2005245024.tif 000009
【図８】
2005245024.tif 000010
【図９】
2005245024.tif 000011
【図１０】
2005245024.tif 000012
【図１１】
2005245024.tif 000013
【図１２】
2005245024.tif 000014